(57)【要約】      （修正有）【課題】操作パネル上に物を置きにくくして、故障を減少させることができる操作パネル構造を提供する。【解決手段】操作パネル１０の傾斜面部１０ｃには、非接触ＩＣ読取部１６の前縁１６ａおよび後縁１６ｂに沿ってそれぞれ上面部１２の上方に向けて突条状の突起部１００および２００が突設されている。突起部１００および突起部２００の操作パネル１０の非接触ＩＣ読取部１６の上面からの高さ方向寸法は、非接触ＩＣ媒体の厚さ方向寸法を考慮して、容易に乗り越えられない値となるように設定されている。【選択図】図３
2017199224.tif 000002
【特許請求の範囲】
【請求項１】
少なくとも上面部の一部を傾斜させたパネル部材と、
前記パネル部材の一部に開口形成されて、現金を出納する現金投入口とを備え、
前記パネル部材は、上面部から突設される突条状の突起部を有することを特徴とする操作パネル構造。
【請求項２】
前記上面部の傾斜させた箇所に設置される非接触ＩＣ読取部をさらに備え、前記突起部は、該非接触ＩＣ読取部の前後縁のうち、少なくとも一側縁に沿って形成されていることを特徴とする請求項１記載の操作パネル構造。
【請求項３】
前記突起部は、前記現金投入口と前記非接触ＩＣ読取部との間に形成されていることを特徴とする請求項２記載の操作パネル構造。
【請求項４】
前記突起部は、前記現金投入口の左，右側縁に長手方向を沿わせて形成されていることを特徴とする請求項１〜３のうち何れか一項に記載の操作パネル構造。
【請求項５】
前記突起部は、少なくとも一側辺を湾曲形状としたことを特徴とする請求項１〜４のうち何れか一項に記載の操作パネル構造。
【請求項６】
前記突起部は、水抜き孔を有することを特徴とする請求項１〜５のうち何れか一項に記載の操作パネル構造。
【請求項７】
前記突起部を複数設け、隣接する突起部間を水抜き路とすることを特徴とする請求項１〜６のうち何れか一項に記載の操作パネル構造。
【請求項８】
前記突起部を複数設け、前記上面部からの高さ方向寸法を異ならせていることを特徴とする請求項１〜７のうち何れか一項に記載の操作パネル構造。
【請求項９】
前記突起部の非接触ＩＣ読取部側の側面をテーパ状とすることを特徴とする請求項２〜８のうち何れか一項に記載の操作パネル構造。
【請求項１０】
前記突起部は、前記上面部からの高さ方向寸法を可変させることを特徴とする請求項１〜９のうち何れか一項に記載の操作パネル構造。
【請求項１１】
前記現金投入口を有するパネル部材を備えることを特徴とする請求項１〜１０のうち何れか一項に記載の操作パネル構造を有する現金預払機。
【発明の詳細な説明】
【技術分野】
【０００１】
本発明は、操作パネル構造、特に、屋外に設置される現金預払機の操作パネル構造に関する。
【背景技術】
【０００２】
一般に従来のＡＴＭ等の現金預払機は、防犯上背後の人から操作および現金の授受を見えにくくするため、暗証番号を入力する操作パネル面や紙幣等の入出金口を水平に設けている。
ユーザは、水平に設けられた入出金口の近傍の操作部を用いて、暗証番号や入出金額の入力を行うように構成されている（例えば、特許文献１等参照）。
【先行技術文献】
【特許文献】
【０００３】
【特許文献１】特開２００８−３８７４号公報
【発明の概要】
【発明が解決しようとする課題】
【０００４】
しかしながら、このような従来の操作パネル構造では、水平に設けられた操作部の周囲に、ユーザが持ってきた荷物を置くことが可能である。
近年、現金預払機の設置場所が銀行などの店舗内から無人の屋外、例えば銀行などの外壁に拡大されつつある。
【０００５】
そこで、本発明は、設置される環境に適した操作パネル構造および該操作パネル構造を有する現金預払機を提供することを目的とする。
【課題を解決するための手段】
【０００６】
本発明は、少なくとも上面部の一部を傾斜させたパネル部材と、パネル部材の一部に開口形成されて、現金を出納する現金投入口とを備え、パネル部材は、上面部から突設される突条状の突起部を有する操作パネル構造を特徴としている。
このような構成によれば、パネル部材の上面部の一部が傾斜している。このため、屋外に設置しても雨水が滞留することなく、上面部を伝って流下する。
また、パネル部材の上面部からは、突条状の突起部が突設されている。
このため、ユーザは、飲料水の入った容器などが置けないと推測することができる。
【発明の効果】
【０００７】
本発明によれば、設置される環境に適した操作パネル構造および該操作パネル構造を有する現金預払機が提供される。
【図面の簡単な説明】
【０００８】
【図１】実施形態の操作パネル構造を用いた現金預払機で、全体の構成を示す斜視図である。
【図２】実施形態の操作パネル構造を用いた現金預払機で、図１中矢視ＩＩ方向から操作部付近を見た構成を示す正面図である。
【図３】実施形態の操作パネル構造を用いた現金預払機で、図１中矢視ＩＩＩ方向から操作部付近を見た構成を示す上面図である。
【図４】実施形態の操作パネル構造の前後の突起部を比較し、図５中矢視ＩＶ方向から前後の突起部を重ねて見た正面図である。
【図５】実施形態の操作パネル構造で、図１中Ｖ―Ｖ線に沿った位置での断面図である。
【図６】実施形態の操作パネル構造で、非接触ＩＣ読取部からＩＣカードをユーザが掴み取る様子を示す上面図である。
【図７】実施形態の操作パネル構造で、非接触ＩＣ読取部の周縁の雨水の流れを示す上面図である。
【図８】実施形態の変形例１の操作パネル構造で、要部の構成を説明する操作パネルの上面図である。
【図９】実施形態の変形例２の操作パネル構造で、（ａ）は、非接触ＩＣ読取部の周縁の構成を示す上面図、（ｂ）は、正面図である。
【図１０】実施形態の変形例３の操作パネル構造で、（ａ）は、非接触ＩＣ読取部の周縁の構成を示す上面図、（ｂ）は、正面図である。
【図１１】実施形態の変形例４の操作パネル構造で、図１中Ｖ−Ｖ断面線位置に相当して（ａ）は、変形前の突条の構成を示す断面図、（ｂ）は、変形している様子を示す断面図である。
【図１２】実施形態の変形例５の操作パネル構造で、図１中Ｖ−Ｖ断面線位置に相当して（ａ）は、変形前の突条の構成を示す断面図、（ｂ）は、変形している様子を示す断面図である。
【図１３】実施形態の変形例６の操作パネル構造で、要部の構成を示す斜視図である。
【発明を実施するための形態】
【０００９】
本発明の実施形態について、図１乃至図９を参照して詳細に説明する。説明において、同一の要素には同一の番号を付し、重複する説明は省略する。
【００１０】
図１は、実施形態の操作パネル構造および該操作パネル構造を有する現金預払機を示すもので、図２は、正面図、図３は、上面図である。以下、装置のうち、ユーザが対面する側を前方方向として反対側（裏面側）を後方方向とする。また、左，右方向はユーザから見た状態を示す。ＡＴＭ等の現金預払機１を構成する箱状の筺体１ａの前面には、表示画面２が設けられている。表示画面２は、タッチパネル等により構成されていてもよく、表示に連動して周囲に設けられた押しボタン部２ａを操作するようにしてもよい。
【００１１】
この表示画面２の下方には、カード明細口４（図２参照）とともに、番号入力部５および覗き見防止板６が設けられている。
【００１２】
そして、これらの番号入力部５等のさらに下方には、パネル部材としての操作パネル１０が設けられている。
この操作パネル１０は、平面視略方形状を呈する上面部１２を有している。
筺体１ａに図示しない固定具を用いて操作パネル１０は略箱形の筺体１ａに装着される。また、上面部１２は、左右両側縁に位置する平坦面部１０ａ，１０ｂと、これらの平坦面部１０ａ，１０ｂの間に設けられた谷部１１とから主に構成されている。
【００１３】
そして、筺体１ａに操作パネル１０が装着された状態では、平坦面部１０ａ，１０ｂは、紙面奥側（以後、後方と記す）から紙面手前側（以後、前方と記す）に向けて、水平または所定の角度で緩傾斜するように構成されている。
これらの平坦面部１０ａ，１０ｂの上面側からは、突条状の突起部３００及び４００がそれぞれ上方に向けて突設されている。これらの突起部３００及び４００は長手方向を傾斜方向（すなわち、装置前面から見て前後方向）に沿わせて延設されている。
【００１４】
また、谷部１１は、図２に示すように所定の傾斜角度が与えられた左，右側壁部１１ａ，１１ｂと、これらの左，右側壁部１１ａ，１１ｂの間に位置して谷底部を構成する傾斜面部１０ｃとを設けている。
この傾斜面部１０ｃは、平坦面部１０ａ，１０ｂよりも一段低い位置に設けられて、平坦面部１０ａ，１０ｂの傾斜角度よりも大きな角度で前方に傾斜するように構成されている。
【００１５】
さらに、この上面部１２には、現金投入口１４と、非接触ＩＣ読取部１６と、指紋認証装置１８とバーコードリーダ２０が設けられている。
【００１６】
このうち、現金投入口１４は、傾斜面部１０ｃの後方位置に設けられていて、カバー部材１４ａが開閉自在に設けられている。そして、カバー部材１４ａの開放により現金投入口１４から入金および出金時に現金を投入、排出するように構成されている。
【００１７】
また、非接触ＩＣ読取部１６は、傾斜面部１０ｃのうち、現金投入口１４よりも手前側の前方位置に現金投入口１４と隣設するように配置されている。そして、非接触ＩＣ読取部１６は、受電可能な範囲の非接触ＩＣ媒体の情報を読み取るように構成されている。この実施形態の非接触ＩＣ読取部１６は、銘板や印刷または造形、発光等により、図示しない案内表記が施されている。
【００１８】
例えばキャッシュカードまたはスマートフォンなどの非接触ＩＣ媒体に現金をチャージする場合、表示画面２のボタンを押して表示された案内に従い、非接触ＩＣ媒体を非接触ＩＣ読取部１６に載置する。
次に、番号入力部５を用いてチャージ金額および必要に応じて暗証番号を入力すると、カバー部材１４ａが開き現金投入口１４が開口する。そして、口座から直接もしくは現金投入口１４に現金を投入することにより、非接触ＩＣ媒体にチャージが可能となる。
なお、暗証番号の入力とともにまたは暗証番号の入力と代えて、指紋認証装置１８による本人確認を行うようにしてもよい。
【００１９】
これらの現金投入口１４および非接触ＩＣ読取部１６は、両側の平坦面部１０ａ，１０ｂよりも一段低い谷底部に位置する傾斜面部１０ｃに設けられている。傾斜面部１０ｃは、両側の平坦面部１０ａ，１０ｂの傾斜角度と比較して大きな所定の角度にて傾斜するように構成されている。
【００２０】
このような傾斜面部１０ｃでは、装置前面に向けて下降する傾斜によって、飲み物の容器などが上に載置されることを防止している。
さらに、現金預払機１が屋外に設置された場合、この傾斜面部１０ｃによって、雨水などを流下させることができる。このため、操作パネル１０の上に雨水が滞留してしまうことを防止することができる。
【００２１】
しかしながら、同じ傾斜面部１０ｃに配置される非接触ＩＣ読取部１６では、非接触ＩＣ読取部１６上に載置した非接触ＩＣ媒体が雨水を流下させるために設けられた傾斜によって滑り落ちてしまう。
このため、ユーザは、非接触ＩＣ媒体が落下しないように、手または指で押さえながら入出金等の操作をしなければならず、操作性が良好であるとは言い難かった。
【００２２】
また、非接触ＩＣ読取部１６に隣設配置されている現金投入口１４から、現金を入金および出金する際、ユーザの身体または衣服の一部が非接触ＩＣ媒体にふれて、非接触ＩＣ媒体が現金投入口１４内に落下してしまうといった問題もあった。
【００２３】
そこで、この実施形態の操作パネル構造では、図３に示すように、操作パネル１０の傾斜面部１０ｃには、非接触ＩＣ読取部１６の前縁１６ａおよび後縁１６ｂに沿ってそれぞれ上面部１２の上方に向けて突条状の突起部１００および２００が突設されている。すなわち、突起部１００および２００は、長手方向が装置前面から見て左右方向に延設されている。
このうち、突起部２００は、現金投入口１４と非接触ＩＣ読取部１６との間に、左，右側壁部１１ａ，１１ｂの両下縁近傍まで延在するように形成されている。
【００２４】
図４は、実施形態の操作パネル構造の前後の突起部１００および２００を比較し、図２および図５中の矢視ＩＶ方向から前後の突起部１００および２００を重ねて見た正面図である。
これらの突起部１００および２００は、前後側の両側辺を湾曲させた形状としていると共に、図４に示すように上縁が長手方向中央部にそれぞれ頂点ａ１，ｂ１を有している。
そして、各突起部１００および２００は、この頂点ａ１，ｂ１を挟んで左右対称とする湾曲した形状となるように構成されている。
【００２５】
さらに、これらの突起部１００および突起部２００は、突起部２００の傾斜面部１０ｃから頂点ｂ１までの高さ方向寸法ｈ２よりも突起部１００の傾斜面部１０ｃから頂点ａ１までの高さ方向寸法ｈ１が低くなるように形成されている。
【００２６】
図５は、実施形態の操作パネル構造で、図１中Ｖ―Ｖ線に沿った位置での断面図である。
これらの突起部１００および突起部２００の操作パネル１０の非接触ＩＣ読取部１６の上面からの高さ方向寸法ｈ１，ｈ２は、ＩＣカードまたは、スマートフォン（以下、非接触ＩＣ媒体９とも記す）の厚さ方向寸法ｄを考慮して、容易に乗り越えられない値となるように設定されている。例えば、好ましくは、ＩＣカードまたは、スマートフォンの厚さ方向寸法ｄの１／２を超える値となるように設定されていてもよい。さらに好ましくは、ＩＣカードまたは、スマートフォンの厚さ方向寸法ｄを超える値となるように設定されているとなおよい。
【００２７】
この実施形態の突起部１００および２００の断面形状は、頂点ａ１，またはａ２と、少なくとも長手方向で対応する前後縁部の頂点ｂ１，またはｂ２およびｃ１，またはｃ２との間を結ぶ側面が湾曲した略三角形形状を呈している。
このうち、頂点ａ１と頂点ｂ１または頂点ｃ１とを結ぶ外側面は、それぞれ外側を凸とするＲ形状を呈している。また、頂点ａ２と頂点ｂ２または頂点ｃ２とを結ぶ外側面は、それぞれ外側を凸とするＲ形状を呈している。
そして、さらに、突起部１００のテーパ状の側面１０１の下縁部は、接続部分が略直交するように切り立たせた状態で傾斜面部１０ｃの上面側と接続されている。
【００２８】
このため、この実施形態の突起部１００では、非接触ＩＣ媒体９の側縁がテーパ状の側面１０１の下縁部に略鉛直に突き当たり、非接触ＩＣ媒体９の落下が防止される。しかも非接触ＩＣ媒体９を取り外す場合は、側面１０１のＲ形状に沿わせて非接触ＩＣ媒体９を持ちあげて容易に掴み取ることができる。
【００２９】
次に、この実施形態の操作パネル構造の作用効果について説明する。
図６は、実施形態の操作パネル構造で、非接触ＩＣ読取部１６から非接触ＩＣ媒体９をユーザが掴み取る様子を示す上面図である。
非接触ＩＣ読取部１６の上に載置された非接触ＩＣ媒体９は、傾斜に沿って手前に滑っても、突起部１００のテーパ状の側面１０１の下縁部に当接して、非接触ＩＣ読取部１６の上に留まることができる。
このため、ユーザは、非接触ＩＣ媒体９が落下しないように、手または指で押さえる必要がない。したがって、入出金等の操作を両手で行なえて操作性が良好である。
【００３０】
また、突起部１００の縁部は、円弧状に形成されているため、直線状に形成されている非接触ＩＣ媒体９の下縁部を一点のみと当接させて二点鎖線で示すように傾けることができる。このため、ユーザは、非接触ＩＣ読取部１６の上に載置された非接触ＩＣ媒体９を容易に掴み取ることができる。
【００３１】
さらに、左，右方向に非接触ＩＣ媒体９をスライドさせることにより、一点鎖線または二点鎖線で示すように非接触ＩＣ媒体９を傾けて端部９ａ等を掴み取ることができる。
上面部１２の谷部１１を構成する傾斜面部１０ｃでは、左，右両側の側壁部１１ａ，１１ｂの縁部１１ｃ，１１ｄが傾斜に沿って間隔を狭めている。
このため、これらの左，右の縁部１１ｃ，１１ｄと、前，後の突起部１００および２００とに囲まれた非接触ＩＣ媒体９が載置可能な部分の形状が逆台形形状となっている。
よって、たとえば、非接触ＩＣ媒体９の一側辺を二点鎖線に示すように縁部１１ｄに当接させる等することで、さらに、非接触ＩＣ媒体９を傾けやすくなる。したがって、ユーザは、非接触ＩＣ読取部１６の上に載置された非接触ＩＣ媒体９をさらに容易に掴み取ることができる。
【００３２】
そして、この実施形態の操作パネル構造では、図４に示すように、突起部２００の傾斜面部１０ｃから頂点ｂ１までの高さ方向寸法ｈ２よりも突起部１００の傾斜面部１０ｃから頂点ａ１までの高さ方向寸法ｈ１が低くなるように形成されている。
このため、非接触ＩＣ媒体９を現金投入口１４側に落下させにくく、さらに、手前側の突起部１００の頂点ａ１の高さが比較的低いため、ユーザに使いにくいといった抵抗感を与えるおそれが少ない。
【００３３】
さらにこの実施形態では、突起部１００および２００の非接触ＩＣ読取部１６側の対向する各側面１０１および２０１は、たがいに上方に向けて離間するように傾斜角を有して形成されている（図５参照）。このため、これらの各側面１０１および２０１を乗り越えるように非接触ＩＣ媒体９を移動させれば、さらに容易に、非接触ＩＣ媒体９の端部９ａ等を容易に掴み取ることができる。
【００３４】
図７は、実施形態の操作パネル構造で、非接触ＩＣ読取部１６の周縁の雨水の流れを示す上面図である。
傾斜面部１０ｃおよび非接触ＩＣ読取部１６の上の雨水は、傾斜に沿って手前に流下して一旦、突起部１００，２００に堰き止められる。
突起部１００，２００の縁部は、円弧状に形成されている。このため、雨水は、左，右方向に迂回して、装置下方に流れ落ちる。
このため、傾斜面部１０ｃおよび非接触ＩＣ読取部１６の上に雨水が滞留することがない。
【００３５】
さらに、非接触ＩＣ読取部１６が設けられる傾斜面部１０ｃは、装置前面に向けて下降する傾斜によって、飲み物の容器などが上に載置されないようにしてもよい。
【００３６】
また、図３に示すようにこの実施形態の上面部１２の左，右両側に位置する平坦面部１０ａ，１０ｂには、それぞれ突条状の突起部３００および４００が設けられている。
このため、ユーザは、平坦面部１０ａ，１０ｂの傾斜角度が緩傾斜であり飲料の容器が置けそうであっても、突条状の突起部３００または４００が平坦面部１０ａ，１０ｂから上方に向けて突設されている部分に物を置くと、倒れてしまうと推測することができる。
したがって、ユーザは操作パネル１０の上面部１２の上に、飲料水の入った容器などを置くことができないと認識することができる。
このように、実施形態では、操作パネル１０上に物を置きにくくすることにより、現金預払機１の故障を減少させることができる。
【００３７】
図８は、実施形態の変形例１の操作パネル構造で、要部の構成を説明する操作パネル１０の上面図である。
この変形例１の操作パネル１０では、突起部５００，６００の少なくとも上側一側辺５０１，６０１を湾曲形状として、下側一側辺５０２，６０２を直線形状となるように形成している。
他の構成、および作用効果については、前記実施形態と同一乃至均等であるので説明を省略する。
【００３８】
図９は、実施形態の変形例２の操作パネル構造で、（ａ）は、非接触ＩＣ読取部の周縁の構成を示す上面図、（ｂ）は、正面図である。
この変形例２では、実施形態の突起部１００に相当する突起部７００に１または複数の水抜き孔７００ａが所定の間隔で設けられている。
このように構成されたこの変形例２では、実施形態の雨水が突起部７００の左，右方向に迂回して、装置下方に流れ落ちる作用効果に加えてさらに、水抜き孔７００ａを通過させて装置下方に流れ落とすことができる。
このため、さらに水はけ性能を良好なものとすることができる。
他の構成、および作用効果については、前記実施形態と同一乃至均等であるので説明を省略する。
【００３９】
図１０は、実施形態の変形例３の操作パネル構造で、（ａ）は、非接触ＩＣ読取部の周縁の構成を示す上面図、（ｂ）は、正面図である。
この変形例３では、突起部９０１，９０２，９０３を複数設け、隣接する突起部９０１，９０２間または、９０２，９０３間にそれぞれ水抜き路９０４，９０５が設けられている。
このように構成されたこの変形例３では、実施形態の作用効果に加えてさらに雨水が突起部９０１，９０２間または、９０２，９０３間に設けられた水抜き路９０４，９０５を通過して装置下方に流れ落ちる。
このため、さらに水はけ性能を良好なものとすることができる。
他の構成、および作用効果については、前記実施形態と同一乃至均等であるので説明を省略する。
【００４０】
図１１は、実施形態の変形例４の操作パネル構造で、図１中Ｖ−Ｖ断面線位置に相当する断面図であり、（ａ）は、変形前の突条の構成を示す断面図、（ｂ）は、変形している様子を示す断面図である。
この変形例４では、非接触ＩＣ読取部１６の前，後縁に沿ってそれぞれ上面部１２の上方に向けて突条状の突起部１１０および２１０が突設されている。これらの突起部１１０および２１０は、下方から操作パネル１０の下側に設けられた弾性部材としてのスプリング１１１および２１１によってそれぞれ上方に向けて付勢されている。
これにより突起部１１０および２１０は、上方からの押圧力に応じて前記上面部１２からの高さ方向寸法を可変させることができるように構成されている。
【００４１】
このように構成された変形例４の操作パネル構造では、変形前の突起部１１０，２１０の突条に力が加わらない状態では、図１１（ａ）に示すように、変形前の突起部１１０，２１０がスプリング１１１，２１１によって付勢されて、突条が上面部１２から突出している状態で保持される。
このため、この上面部１２から突出している突起部１１０，２１０の突条に、非接触ＩＣ読取部１６に載置された非接触ＩＣ媒体が当接して、装置下方へ落下しないと共に、現金投入口１４方向にも落下しないように阻止される。
【００４２】
また、図１１（ｂ）に示すように、突起部１１０，２１０の突条に上方から力が加わると、スプリング１１１，２１１は弾性変形して突起部１１０，２１０の突条を上面部１２から下方に移動させることができる。
【００４３】
このため、ユーザは、非接触ＩＣ読取部１６に載置された非接触ＩＣ媒体を、上面部１２に沿って前後方向に摺動移動させて非接触ＩＣ媒体９を取ろうとする際、突起部１１０，２１０に干渉させないように下方に移動させて、円滑に非接触ＩＣ媒体を掴み取ることが出来る。
【００４４】
さらにまた、突起部１１０，２１０が移動しているか移動した状態であるかを報知する報知部を設けてもよい。
そしてさらに、突起部１１０，２１０の移動を行えないロック状態と、移動を行えるアンロック状態とを切換えられるようにしてもよい。この場合、非接触ＩＣ媒体９による取引を終了して、非接触ＩＣ媒体９を取ろうとする際、ロック状態からアンロック状態に切換えて、突起部１１０，２１０を移動可能としてもよい。
他の構成、および作用効果については、前記実施形態と同一乃至均等であるので説明を省略する。
【００４５】
図１２は、実施形態の変形例５の操作パネル構造で、図１中Ｖ−Ｖ断面線位置に相当する断面図であり、（ａ）は、変形前の突条の構成を示す断面図、（ｂ）は、変形している様子を示す断面図である。
【００４６】
この変形例５では、中空状の突起部１２０，２２０が非接触ＩＣ読取部１６の前，後縁に沿ってそれぞれ上面部１２の上方に向けて突設されている。
これらの突起部１２０，２２０は、上方から力が加わると、弾性変形して突条を上面部１２から下方に移動させることにより、上面部１２からの高さ方向寸法を可変させることができるように構成されている。
【００４７】
このように構成された変形例５の操作パネル構造では、変形前の突起部１２０，２２０に力が加わらない状態では、図１２（ａ）に示すように、上面部１２から突出している状態で突条状の形状に保持される。
このため、この上面部１２から突出している突起部１２０，２２０の突条に、非接触ＩＣ読取部１６に載置された非接触ＩＣ媒体が当接して、装置下方へ落下しないと共に、現金投入口１４方向へも落下しないように阻止される。
【００４８】
また、図１２（ｂ）に示すように、突起部１２０，２２０の突条に上方から力が加わると、突起部１１０，２１０は弾性変形して、下方に向けて潰れて、上面側を下方に移動させることができる。
【００４９】
このため、ユーザは、非接触ＩＣ読取部１６に載置された非接触ＩＣ媒体を、上面部１２に沿って前後方向に摺動移動させて非接触ＩＣ媒体を取ろうとする際、突起部１１０，２１０を弾性変形させて干渉を防止することにより円滑に非接触ＩＣ媒体を掴み取ることが出来る。
他の構成、および作用効果については、前記実施形態と同一乃至均等であるので説明を省略する。
【００５０】
図１３は、実施形態の変形例６の操作パネル構造で、要部の構成を示す斜視図である。
変形例６の操作パネル構造では、平坦面部１０ｂに設けられる突条状の突起部４００の周囲に、所定の間隔をあけて突条状の突起部４１０，４２０，４３０，４４０が放射状に設けられている。
これらの突起部４１０，４２０，４３０，４４０の平坦面部１０ｂから頂点までの高さ方向寸法は、突起部４００の平坦面部１０ｂから頂点までの高さ方向寸法よりも低くなるように構成されている。
【００５１】
このように構成された変形例６の操作パネル構造では、突起部４００に加えて、高さの異なる突起部４１０，４２０，４３０，４４０が周囲に配置されている。
このため、平坦面部１０ｂが幅方向に所定の面積を有して構成されていても、突起部４１０，４２０，４３０，４４０により、突起部４００の左，右何れにも飲料水の入った容器などは置けないと推測できる。
【００５２】
このように、ユーザは、操作パネル１０の上面部１２上に物を置くことが出来ないと認識する。このため、比較的広い面積を上面部１２が有していても飲料水の入った容器が置かれないようにすることができる。
他の構成、および作用効果については、前記実施形態と同一乃至均等であるので説明を省略する。
【００５３】
以上、本実施形態および変形例に係る入力装置について詳述してきたが、本発明はこれらの実施形態および変形例に限定されるものではなく、本発明の趣旨を逸脱しない範囲で適宜変更可能であることは言うまでもない。
【００５４】
例えば、本実施形態では、上面部１２から上方へ向けて突設される突起部１００，２００，３００，４００を示して説明してきた。しかしながら、特にこれに限らない。例えば、少なくとも上面部の一部を傾斜させたパネル部材に現金投入口が備えられている上面部を有していれば、突起部の形状、数量および位置が実施形態によって限定されるものではない。
【００５５】
また、突起部１００，２００，３００，４００を全て上面部１２に形成したものを示して説明してきたが特にこれに限らず、例えば、突起部１００，２００，３００，４００のうち、少なくとも何れか一つが設けられていればよい。
【００５６】
さらに、図１１に示すように、弾性部材としてスプリング１１１，２１１を用いた突起部１１０，２１０を示して説明してきた。しかしながら、特にこれに限らず、上面部１２からの高さ方向寸法を可変させることができる弾性部材であれば、他の形状のばね部材やあるいはゴム等を用いて構成してもよい。
【００５７】
そして、変形例６では、突条状の突起部４００の周囲に所定間隔をあけて突条状の突起部４１０，４２０，４３０，４４０を放射状に設けたものを示して説明してきた。しかしながら、特にこれに限らず、たとえば、複数の突条を並行させた配置させた形状やあるいは星状等に突条状の突起部を有するものであればよく、上面部１２の上に、飲料水の入った容器などが置けないと推測できるものであれば、それぞれの高さ方向の寸法を相違させているもの等であってもよい。したがって、突起部の形状、数量および材質が特に限定されるものではない。
【符号の説明】
【００５８】
１      現金預払機
１ａ    筺体
２      表示画面
２ａ    ボタン部
４      カード明細口
５      番号入力部
６      受話器
９      ＩＣカード（非接触ＩＣ媒体）
１０    操作パネル
１０ａ，１０ｂ  平坦面部
１０ｃ  傾斜面部
１１    谷部
１１ａ，１１ｂ  左，右側壁部
１２    上面部
１４    現金投入口
１６    非接触ＩＣ読取部
１６ａ  前縁
１６ｂ  後縁
１００，１１０，１２０，２００，３００，４００，４１０，５００，７００，９０１，９０２，９０３  突起部
１０１，２０１  側面
１１１  スプリング（弾性部材）
５０１  上側一側辺
５０２  下側一側辺
７００ａ  水抜き孔
９０４，９０５  水抜き路
【図１】
2017199224.tif 000003
【図２】
2017199224.tif 000004
【図３】
2017199224.tif 000005
【図４】
2017199224.tif 000006
【図５】
2017199224.tif 000007
【図６】
2017199224.tif 000008
【図７】
2017199224.tif 000009
【図８】
2017199224.tif 000010
【図９】
2017199224.tif 000011
【図１０】
2017199224.tif 000012
【図１１】
2017199224.tif 000013
【図１２】
2017199224.tif 000014
【図１３】
2017199224.tif 000015